(57)【要約】【課題】タッチ操作において、誤操作が起こりにくく、操作を正確に行うことができる情報処理装置、情報処理方法及びプログラムを提供する。【解決手段】テーブルディスプレイ（１０）は、表示部に表示されたオブジェクトに対し、タッチ操作をすることによりその操作が示す処理を行う。タッチした部分の位置を検出するタッチ検出部（５１）と、この検出結果からタッチ面積を算出するタッチ面積算出部（５２）と、タッチ検出部（５１）の検出結果とタッチ面積算出部（５２）の算出結果に基づき、オブジェクトに対するタッチ操作を判定する操作判定部（５３）と、その判定結果に基づき処理を実行する操作処理実行部（５４）とを備える。操作処理実行部（５４）は、オブジェクト内で２箇所のタッチが検出され、１箇所のタッチがオブジェクト外でタッチアップされると、タッチアップの位置にオブジェクトの複製を表示する。【選択図】図２
2019012573.tif 000002
【特許請求の範囲】
【請求項１】
オブジェクトを表示部に表示する情報処理装置であって、
タッチ操作を検出するタッチ検出部と、
前記タッチ検出部の検出結果に基づき前記オブジェクトに対するタッチ操作を判定する操作判定部と、
前記操作判定部の判定結果に基づいて処理を実行する操作処理実行部と、
を備え、
前記操作処理実行部は、前記タッチ検出部により前記オブジェクト内で２箇所のタッチが検出され、前記２箇所のタッチのうち一のタッチが前記オブジェクトの外に移動してタッチアップされると、前記タッチアップの位置に前記オブジェクトの複製を表示することを特徴とする情報処理装置。
【請求項２】
前記操作判定部は、予め設定された所定面積に基づきタッチを識別して前記タッチ操作を判定することを特徴とする請求項１に記載の情報処理装置。
【請求項３】
前記操作判定部は、前記オブジェクト内で前記所定面積のタッチが減ることによる操作判定を行うことを特徴とする請求項２に記載の情報処理装置。
【請求項４】
前記操作処理実行部は、前記操作判定部により前記所定面積以上のタッチと前記所定面積未満のタッチとの２種類のタッチが検出され、前記２種類のタッチの一つが前記オブジェクト内から外へ移動してタッチアップされた場合、前記タッチアップ位置に前記オブジェクトの複製を表示することを特徴とする請求項１〜３に記載の情報処理装置。
【請求項５】
オブジェクトを表示部に表示する情報処理装置における情報処理方法であって、
タッチ操作を検出するタッチ検出ステップと、
前記タッチ検出ステップの検出結果に基づき前記オブジェクトに対するタッチ操作を判定する操作判定ステップと、
前記操作判定ステップの判定結果に基づいて処理を実行する操作処理実行ステップと、
を含み、
前記操作処理実行ステップが、前記タッチ検出ステップにより前記オブジェクト内で２箇所のタッチが検出され、前記２箇所のタッチのうち一のタッチが前記オブジェクトの外に移動してタッチアップされると、前記タッチアップの位置に前記オブジェクトの複製を表示することを特徴とする情報処理方法。
【請求項６】
コンピュータに、請求項５の情報処理方法の各ステップを実行させるためのプログラム。
【発明の詳細な説明】
【技術分野】
【０００１】
本発明は、タッチパネルへのタッチ操作によってコピー処理を行う情報処理装置、情報処理方法及びプログラムに関する。
【背景技術】
【０００２】
近年、表示部とタッチ入力部を備えたタッチパネルを有する装置が登場し、タッチ操作によるＵＩ（User Interface）により、ユーザが直感的操作により処理を行えるようになった。例えば、表示装置の画面に表示されたファイルなどを示すオブジェクトにタッチ操作を行って、コピーやペーストなどの操作処理を行うことができる。
【０００３】
例えば、特許文献１には、１つの表示オブジェクトに対し、２本の指でタッチしてピンチアウト操作を行って、２本の指のタッチ距離が所定値以上になった場合、表示オブジェクトが示すコンテンツデータをコピー処理する装置が記載されている。
【先行技術文献】
【特許文献】
【０００４】
【特許文献１】特開２０１１−１７０７８５号公報
【発明の概要】
【発明が解決しようとする課題】
【０００５】
タッチ操作は、ユーザに取って直感的で分かり易いが、タッチ操作とそれに対応する処理の種類が多くなってくると、操作がわずかに異なるだけで全く別の処理になり、ユーザが誤って操作してしまうケースが増えてきてしまう。例えば、特許文献１の場合であると、２本の指によるピンチアウト操作は、表示の拡大処理が一般的であり、拡大処理とコピー操作の誤操作が頻発する可能性もある。
【０００６】
本発明は、斯かる実情に鑑み、タッチ操作において、誤操作が起こりにくく、操作を正確に行うことができる情報処理装置、情報処理方法及びプログラムを提供しようとするものである。
【課題を解決するための手段】
【０００７】
上述した課題に鑑み、本発明の情報処理装置は、
オブジェクトを表示部に表示する情報処理装置であって、
タッチ操作を検出するタッチ検出部と、
前記タッチ検出部の検出結果に基づき前記オブジェクトに対するタッチ操作を判定する操作判定部と、
前記操作判定部の判定結果に基づいて処理を実行する操作処理実行部と、
を備え、
前記操作処理実行部が、前記タッチ検出部により前記オブジェクト内で２箇所のタッチが検出され、前記２箇所のタッチのうち一のタッチが前記オブジェクトの外に移動してタッチアップされると、前記タッチアップの位置に前記オブジェクトの複製を表示することを特徴とする。
【０００８】
本発明の情報処理方法は、オブジェクトを表示部に表示する情報処理装置における情報処理方法であって、
タッチ操作を検出するタッチ検出ステップと、
前記タッチ検出ステップの検出結果に基づき前記オブジェクトに対するタッチ操作を判定する操作判定ステップと、
前記操作判定ステップの判定結果に基づいて処理を実行する操作処理実行ステップと、
を含み、
前記操作処理実行ステップが、前記タッチ検出ステップにより前記オブジェクト内で２箇所のタッチが検出され、前記２箇所のタッチのうち一のタッチが前記オブジェクトの外に移動してタッチアップされると、前記タッチアップの位置に前記オブジェクトの複製を表示することを特徴とする。
【０００９】
本発明は、コンピュータに、前記情報処理方法の各ステップを実行させるためのプログラムである。
【発明の効果】
【００１０】
本発明によれば、所定面積以上のタッチ面積で表示オブジェクトにタッチされていると、操作判定部はコピーモードを含む操作であると判定するので、タッチ面積が１種類の場合に比較して、２種類のタッチにより操作を異なるものできるので、誤操作や誤判定を防ぐことができる。
【図面の簡単な説明】
【００１１】
【図１】本発明に係る情報処理装置であるテーブルディスプレイを示す外観図である。
【図２】テーブルディスプレイの一例を示す機能ブロック図である。
【図３】実施形態１における操作処理全体を示すフローチャートである。
【図４】表示装置の表示部に表示されたオブジェクトを示す図である。
【図５】操作判定処理Ａの処理手順を示すフローチャートである。
【図６】実施形態１における表示オブジェクトの領域内に手の平タッチが３箇所ある場合を示す図である。
【図７】実施形態１における表示オブジェクトの領域内に手の平タッチが２箇所ある場合を示す図である。
【図８】実施形態１における表示オブジェクトの領域内に手の平タッチが１箇所ある場合を示す図である。
【図９】操作判定処理Ｂの処理手順を示すフローチャートである。
【図１０】実施形態１におけるタッチアップ後に表示オブジェクトの領域内に手の平タッチが２箇所ある場合を示す図である。
【図１１】実施形態１におけるタッチアップ後に表示オブジェクトの領域内に手の平タッチが１箇所ある場合を示す図である。
【図１２】実施形態１におけるタッチアップ後に表示オブジェクトの領域内に手の平タッチがない場合を示す図である。
【図１３】操作処理実行の処理手順を示すフローチャートである。
【図１４】実施形態１における手の平タッチをオブジェクト外にピンチアウトする図である。
【図１５】実施形態１におけるオブジェクト外にピンチアウトした手の平タッチをピックアップしてオブジェクトをコピー表示する図である。
【図１６】実施形態２における表示オブジェクトの領域内に手の平タッチが３箇所ある場合を示す図である。
【図１７】実施形態２における手の平タッチをオブジェクト外にピンチアウトする図である。
【図１８】実施形態２におけるオブジェクト外にピンチアウトした手の平タッチをピックアップしてオブジェクトをコピー表示する図である。
【発明を実施するための形態】
【００１２】
以下、本発明の実施の形態を添付図面を参照して説明する。
図１は、本発明に係る情報処理装置であるテーブルディスプレイを示す外観図である。図２は、このテーブルディスプレイの一例を示す機能ブロック図である。
【００１３】
このテーブルディスプレイ１０は、タッチパネルである表示装置２０をテーブル全面に備え、複数のユーザが表示を見ながらタッチ操作を行い、処理を行う装置である。この表示装置２０は、液晶パネルなどの表示部２１の上側にタッチ入力部２２を備える構造である。
【００１４】
テーブルディスプレイ１０の内部には、表示部２１への表示制御を行う表示制御部３０、データを記憶する記憶部４０、タッチ入力部２２から操作に従って処理を制御する制御部５０を備える。
【００１５】
制御部５０は、タッチ入力部２２の入力信号からそのタッチ位置を検出するタッチ検出部５１、検出したタッチ位置からタッチした領域のタッチ面積を算出するタッチ面積算出部５２、タッチ検出部５１の検出結果とタッチ面積算出部５２によるタッチ面積とからタッチ操作を判定する操作判定部５３、判定したタッチ操作に基づいて操作処理を実行する操作処理実行部５４とを備える。
【００１６】
操作判定部５３は、タッチダウン、タッチアップ、フリック、ピンチイン、ピンチアウトなどのタッチ操作やタッチ数などから操作モードを判定する。ここで、タッチダウンは、タッチ入力部２２に手などでタッチすることであり、タッチ検出部５１は新たなタッチとしてその位置を検出する。タッチアップは、タッチしていた手などをタッチ入力部２２から離すことであり、タッチ検出部５１はタッチが消えた位置を検出する。
【００１７】
このテーブルディスプレイ１０は、様々のタッチ操作に対応できるものであるが、特にコピー操作について説明する。
コピー操作は、表示部２１に表示されるオブジェクトに対して２箇所タッチしながら、その１つのタッチをピンチアウトしたときにコピー処理を行うものである。
背景技術として述べた特許文献１では、指によるピンチアウト操作をコピー操作とするものであったが、本実施形態では、手の平を使ったピンチアウト操作であり、ピンチアウト操作における一般的な拡大操作と区別するものである。
【００１８】
＜実施形態１＞
まず、実施形態１は、タッチダウンの操作をコピー操作とその関連操作を行うものであり、以下に詳しく説明する。
図３は、実施形態１における操作処理全体を示すフローチャートである。
【００１９】
例えば図４に示すように、表示装置２０の表示部２１に操作対象のオブジェクト１００が表示されているとする。ユーザが表示装置２０の表面にタッチ入力を行うと、タッチ入力部２２の入力信号に基づいて、制御部５０のタッチ検出部５１が、タッチ位置を検出する（ステップＳ１）。そして、制御部５０の操作判定部５３が、タッチ検出部５１の検出結果から、タッチアップ操作であるか、タッチダウン操作であるかを判定する（ステップＳ２）。タッチダウンの場合は、ステップＳ３の操作判定処理Ａに進む。タッチアップの場合は、ステップＳ４の操作判定処理Ｂに進む。そして、制御部５０の操作処理実行部５４が、操作判定結果に基づいて処理を実行する（ステップＳ５）。
【００２０】
図５は、操作判定処理Ａの処理手順を示すフローチャートである。
制御部５０のタッチ面積算出部５２は、タッチ検出部５１の検出結果からタッチ領域のタッチ面積を算出する（ステップＳ１１）。制御部５０の操作判定部５３は、タッチ領域の一部あるいは全部が、表示部２１に表示されている操作対象のオブジェクト１００の領域内にあるかを判定する（ステップＳ１２）。操作対象のオブジェクト１００内でなければ処理を終了する。操作対象のオブジェクト領域内にあれば、ステップＳ１３に進み、そのオブジェクト領域内にタッチ面積が予め設定した閾値以上のタッチが存在するかを判定する。このタッチがなければ、処理を終了する。
【００２１】
ここでは、手の指と、手の平とで入力が行われるものとし、「指タッチ」と「手の平タッチ」を識別するための所定面積を閾値として予め設定しておく。閾値以上のタッチ面積を「手の平タッチ」とし、閾値未満のタッチ面積を「指タッチ」とする。
この実施例では、手によるタッチ入力としたが、ペンによるタッチと、広い面積のスタンプによる入力でも構わない。とにかく面積によりタッチを２種類に識別できるものであればよい。
【００２２】
操作判定部５３は、操作対象のオブジェクト領域内にタッチが３箇所以上あるかを判定し（ステップＳ１４）、タッチが３箇所以上あれば、コピー禁止モードと判定する（ステップＳ１５）。コピー禁止モードとは、コピー処理を行なわないモードということである。これは、例えば図６に示すように、オブジェクト１００の領域内に、手の平タッチ１１１，１１２，１１３の３箇所がある場合である。
【００２３】
そうでなければ、操作判定部５３は、操作対象のオブジェクト領域内にタッチが２箇所あるかを判定し（ステップＳ１６）、タッチが２箇所あれば、コピーモードと判定する（ステップＳ１７）。コピーモードとは、コピー処理を行うモードである。これは、例えば図７に示すように、オブジェクト１００の領域内に、手の平タッチ１１１，１１２の２箇所がある場合である。
【００２４】
そうでなければ、操作判定部５３は、操作対象のオブジェクト領域内にタッチが１箇所であると判定し（ステップＳ１８）、オブジェクト操作禁止モードと判定する（ステップＳ１９）。オブジェクト操作禁止モードとは、オブジェクトに対する移動、回転、拡大縮小などの操作処理を行わないモードということである。これは、例えば図８に示すように、オブジェクト１００の領域内に、手の平タッチ１１１の１箇所がある場合である。
タッチダウンのタッチ操作であったので、タッチ数０はあり得ないので、処理は以上で終了する。
【００２５】
図９は、操作判定処理Ｂの処理手順を示すフローチャートである。
操作判定処理Ｂにおいては、タッチアップ操作であるので、タッチ位置、タッチ領域、タッチ面積に関しては既に分っている。後は、タッチアップによって、タッチ箇所が減ることによる操作判定を行う必要がある。
【００２６】
制御部５０の操作判定部５３は、操作対象のオブジェクト領域内にタッチ面積が予め設定した閾値以上のタッチが存在するかを判定する（ステップＳ２１）。このタッチがなければ、処理を終了する。
【００２７】
制御部５０の操作判定部５３は、操作対象のオブジェクト領域内にタッチが３箇所以上あるかを判定し（ステップＳ２２）、タッチが３箇所以上あれば、コピー禁止モードと判定する（ステップＳ２３）。これは、例えば図６に示すように、タッチアップがあっても手の平１１１，１１２，１１３のタッチが３箇所ある場合である。
【００２８】
そうでなければ、操作判定部５３は、操作対象のオブジェクト領域内にタッチが２箇所あるかを判定し（ステップＳ２４）、タッチが２箇所あれば、コピーモードと判定する（ステップＳ２５）。これは、例えば図１０に示すように、手の平タッチ１１３がタッチアップし、オブジェクト１００の領域内に手の平１１１，１１２が残っている場合である。
【００２９】
そうでなければ、操作判定部５３は、操作対象のオブジェクト領域内にタッチが１箇所あるかを判定し（ステップＳ２６）、タッチが１箇所あれば、オブジェクトの移動、回転、拡大縮小などの操作禁止モードと判定する（ステップＳ２７）。これは、例えば図１１に示すように、手の平タッチ１１２がタッチアップし、オブジェクト１００の領域内に手の平１１１が残っている場合である。
【００３０】
タッチが１箇所でなければ、操作判定部５３は、タッチなし（０箇所）と判定し（ステップＳ２８）、オブジェクト操作モードと判定する（ステップＳ２９）。オブジェクト操作モードとは、オブジェクトに対して移動、回転、拡大縮小などの操作を可能とするモードである。これは、例えば図１２に示すように、手の平タッチ１１１がタッチアップし、オブジェクト１００の領域内に手の平が残っていない場合である。
【００３１】
図１３は、操作処理実行の処理手順を示すフローチャートである。
制御部５０の操作処理実行部５４は、操作判定部５３の判定結果に基づいて処理を実行する。
操作処理実行部５４は、操作判定がコピーモードであるかを判定する（ステップＳ３１）。コピーモードであれば、操作判定部５３が、タッチの１つが操作対象のオブジェクト内から外へピンチアウトしてタッチアップするかを判定する（ステップＳ３２）。例えば図１４に示すように、オブジェクト１００内にあった手の平１１２が、ピンチアウトしてオブジェクト１００の外に出て、図１５に示すように、タッチアップした場合である。
【００３２】
このとき、タッチ検出部５１は、タッチアップ位置を検出しているので、それを操作処理実行部５４に出力する（ステップＳ３３）。操作処理実行部５４は、記憶部４０の予め設定しておいた所定フォルダに操作対象のオブジェクトが示すデータをコピーして記憶する（ステップＳ３４）。そして、表示制御部３０は、タッチアップ位置にオブジェクトをコピーして表示する（ステップＳ３５）。例えば図１５に示すように、手の平１１２がタッチアップした位置に、オブジェクト１００のコピーであるオブジェクト２００を表示する。
【００３３】
コピーモードではない場合には、別のモード（コピー禁止モード、オブジェクト操作禁止モード、オブジェクト操作モード）などの処理を実行する（ステップＳ３６）。
【００３４】
＜実施形態２＞
実施形態１では、タッチは全て「手の平タッチ」であったが、「指タッチ」が混在する場合もあり得る。
図１６に示すように、実施形態２では、「手の平タッチ」は、手の平１１１だけであり、他のタッチ１１２，１１３は「指タッチ」である。この場合にあっても、図３、図５、図９、図１３のフローチャートは成り立つ。
【００３５】
ここで、「手の平タッチ」が１つでもあれば、操作判定部５３は、ステップＳ１３やステップＳ２１において、コピーモードを含むモードであると判定する。操作判定部５３は、タッチ数によって、各モードの判定を行い、操作処理実行部５４は、各モード下での操作の処理を実行する。
【００３６】
例えば、図１７に示すように、オブジェクト１００に対して、手の平１１１と指１１２がタッチされている場合、２箇所タッチと、手の平が閾値以上のタッチ面積なので、操作判定部５３はコピーモードと判定する。そして、指１１２がオブジェクト１００の外にピンチアウトし、図１８に示すように、タッチアップすると、図１５と同様に、そのタッチアップ位置にオブジェクト１００のコピーであるオブジェクト２００を表示する。また記憶部４０の所定のフォルダにオブジェクト１００が示すデータをコピーして保存するのは、実施形態１と同じである。
【００３７】
ここでは、指１１２がオブジェクト外にピンチアウトしたが、手の平１１１の方をオブジェクト外にピンチアウトしても、同様のコピー処理を行うものとする。
【００３８】
＜実施形態３＞
実施形態１，２では、指タッチあるいは手の平タッチがピンチアウトすることによって、コピー処理を行っていたが、実施形態３では、ピンチアウトすることなしにコピー処理を行うものである。
例えば、図７のように、手の平タッチが２箇所行われた場合、操作判定部５３はコピーモードと判断して、予め設定して置いた表示部２１の位置にオブジェクト１００のコピー表示を行うものとしてもよい。また記憶部４０の所定のフォルダにオブジェクト１００が示すデータをコピーして保存するのは、実施形態１と同じである。
【００３９】
こうして、所定面積以上のタッチ面積で表示オブジェクトにタッチされていると、操作判定部はコピーモードを含む操作であると判定するので、手の指などタッチ面積が１種類の場合に比較して、２種類のタッチにより操作を異なるものできるので、誤操作や誤判定を防ぐことができる。例えば、ピンチアウトの操作においては、指タッチのみの場合は拡大とし、手の平タッチのみ、あるいは指タッチと手の平タッチの組み合わせの場合はコピーとする、というように明確に操作処理を区別することができる。
【００４０】
また、３箇所以上のタッチは、コピー禁止とすることで、誤ってピンチアウトなどの操作をしても、コピーされることがなく、誤判定を防ぐことができる。
【００４１】
本発明による情報管理システムの各装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４３】
以上、この発明の実施形態を図面を参照して詳述してきたが、具体的な構成はこれらの実施形態に限られるものではなく、この発明の要旨を逸脱しない範囲の設計変更等された発明も含まれる。
【００４４】
また、本実施形態において説明した情報処理装置は、オブジェクトを表示部に表示する情報処理装置であって、タッチ操作を検出するタッチ検出部と、前記タッチ検出部の検出結果に基づき前記オブジェクトに対するタッチ操作を判定する操作判定部と、前記操作判定部の判定結果に基づいて処理を実行する操作処理実行部と、を備え、前記操作判定部が、前記タッチ検出部により前記オブジェクトへのタッチ操作が検出され、タッチ面積に基づき前記タッチ操作が示す処理を判定する際に、前記タッチ検出部が前記オブジェクト内で新たなタッチを検出すると、前記操作処理実行部により前記タッチ操作が示す処理を禁止する構成としてもよい。
【００４５】
また、本実施形態において説明した情報処理装置における情報処理方法は、オブジェクトを表示部に表示する情報処理装置における情報処理方法であって、タッチ操作を検出するタッチ検出ステップと、前記タッチ検出ステップの検出結果に基づき前記オブジェクトに対するタッチ操作を判定する操作判定ステップと、前記操作判定ステップの判定結果に基づいて処理を実行する操作処理実行ステップと、を含み、前記操作判定ステップが、前記タッチ検出ステップにより前記オブジェクトへのタッチ操作が検出され、タッチ面積に基づき前記タッチ操作が示す処理を判定する際に、前記タッチ検出ステップが前記オブジェクト内で新たなタッチを検出すると、前記操作処理実行ステップにより前記タッチ操作が示す処理を禁止する構成としてもよい。
【符号の説明】
【００４６】
１０      ：テーブルディスプレイ
２０      ：表示装置
２１      ：表示部
２２      ：タッチ入力部
３０      ：表示制御部
４０      ：記憶部
５０      ：制御部
５１      ：タッチ検出部
５２      ：タッチ面積算出部
５３      ：操作判定部
５４      ：操作処理実行部
１００    ：オブジェクト
【図１】
2019012573.tif 000003
【図２】
2019012573.tif 000004
【図３】
2019012573.tif 000005
【図４】
2019012573.tif 000006
【図５】
2019012573.tif 000007
【図６】
2019012573.tif 000008
【図７】
2019012573.tif 000009
【図８】
2019012573.tif 000010
【図９】
2019012573.tif 000011
【図１０】
2019012573.tif 000012
【図１１】
2019012573.tif 000013
【図１２】
2019012573.tif 000014
【図１３】
2019012573.tif 000015
【図１４】
2019012573.tif 000016
【図１５】
2019012573.tif 000017
【図１６】
2019012573.tif 000018
【図１７】
2019012573.tif 000019
【図１８】
2019012573.tif 000020